(57)【要約】      （修正有）【課題】取り付けに際しベランダの防護フェンスや壁面に孔を開けるなどの傷を付ける必要がなく、大小ある隙間の形状に合わせて多数の装飾パネル形状を準備する必要がなく、また万一樹脂ネットが落下した場合でも、軽量であるため階下に大きな危害を与える事が無い、より安心・安全で快適な住環境を創造する防護フェンスの隙間塞ぎ樹脂ネットを提供する。【解決手段】粘着剤付きループタイプ５と粘着剤なしマッシュルームタイプ６とからなる複数の接合部材と、樹脂ネット３とを有し、樹脂ネット３は防護フェンスを構成する一対の壁面１間に構成される隙間２の幅より大きな幅を持つものであり、壁面１の室内側の隙間２近傍に貼り付けた粘着剤付きループタイプ５と粘着剤なしマッシュルームタイプ６で樹脂ネット３を挟み込む隙間塞ぎ樹脂ネットを提供する。【選択図】図１
0003203171.tif 000002
【実用新案登録請求の範囲】
【請求項１】
複数の粘着剤付き接合部材と、前記粘着剤付き接合部材に対向して設けられる複数の粘着剤なし接合部材と、樹脂ネットとから構成される隙間塞ぎ樹脂ネットであって、前記樹脂ネットは、防護フェンスを構成する一対の壁面の室内側に取り付けた前記粘着剤付き接合部材と前記粘着剤なし接合部材によって挟み込んで固定され、一対の壁面間よりも大きな幅を有してなる隙間塞ぎ樹脂ネット。
【請求項２】
複数の粘着剤付き接合部材と、前記粘着剤付き接合部材に対向して設けられる複数の粘着剤なし接合部材と、樹脂ネットと、複数の結束部材とから構成される隙間塞ぎ樹脂ネットであって、前記樹脂ネットは、防護フェンスを構成する柱もしくは胴縁の室内側に取り付けた前記粘着剤付き接合部材と前記粘着剤なし接合部材によって挟み込んで固定され、前記柱もしくは前記胴縁とともに前記結束部材で結束され、前記柱もしくは前記胴縁が構成する隙間の幅よりも大きな幅を有してなる隙間塞ぎ樹脂ネット。
【考案の詳細な説明】
【技術分野】
【０００１】  本考案はマンションや公共住宅等のベランダ防護フェンス等の隙間を塞ぐための樹脂ネットに関するものである。
【背景技術】
【０００２】  マンションや公共住宅などの多層建築物では、ベランダ（バルコニー）等が各戸ごとに設けられることがある。このようなベランダは、一般にリビングルームやダイニングルームの屋外部に形成され、建物外壁から張り出した棚状の床を鉄筋コンクリートで形成し、その先端に転落防止用の防護フェンスを設けた構造となる。【０００３】  ベランダは単に洗濯物を干したり、あるいは火災発生時の避難路となるだけでなく窓の外にプライベートな屋外スペースを形成することによって居住空間に広がりをもたせ、当該住戸の居住性を向上させる機能を営むものである。【０００４】  更に、このベランダの防護フェンスには、風通しを良くするための隙間が設けられ、また、採光も可能となる快適な居住空間を形成しているものである。【０００５】  しかしながら、このベランダ構造では、洗濯ばさみ等の小物が落下するという不安が伴い、安心・安全を損なうという欠点があり、従来、複数の透孔部を備えた装飾パネルをはめ込む構成などが考案された。【０００６】  従来の複数の透孔部を備えた装飾パネルをはめ込む構成においては、採光や風通しも確保され、風圧により部材が飛ばされるという不具合も軽減するものであるが、隙間に取り付ける場合、以下の不具合があった。【０００７】  取り付けに際し、防護フェンスや壁面に孔を開けるなどの傷を付ける必要があった。また、隙間の形状に合わせて装飾パネルの形状を変える必要があり、多数のパネル形状を予め準備する必要があった。また万一、装飾パネルが落下した場合、その重量のため、階下に大きな危害を与える可能性もあった。
【先行技術文献】
【特許文献】
【０００８】
【特許文献１】実用新案登録  第３０４０５４８号公報
【考案の概要】
【考案が解決しようとする課題】
【０００９】  本考案は、取り付けに際しベランダの防護フェンスや壁面に孔を開けるなどの傷を付ける必要がなく、大小ある隙間の形状に合わせて多数の装飾パネル形状を準備する必要がなく、また万一樹脂ネットが落下した場合でも、軽量であるため階下に大きな危害を与える事が無い、より安心・安全で快適な住環境を創造する防護フェンスの隙間塞ぎ樹脂ネットを提供することにある。
【課題を解決するための手段】
【００１０】  本考案は、複数の粘着剤付き接合部材と、前記粘着剤付き接合部材に対向して設けられる複数の粘着剤なし接合部材と、樹脂ネットとから構成される隙間塞ぎ樹脂ネットであって、前記樹脂ネットは、防護フェンスを構成する一対の壁面の室内側に取り付けた前記粘着剤付き接合部材と前記粘着剤なし接合部材によって挟み込んで固定され、一対の壁面間よりも大きな幅を有してなるものである。【００１１】  また、本考案は、複数の粘着剤付き接合部材と、前記粘着剤付き接合部材に対向して設けられる複数の粘着剤なし接合部材と、樹脂ネットと、複数の結朿部材とから構成される隙間塞ぎ樹脂ネットであって、前記樹脂ネットは、防護フェンスを構成する柱もしくは胴縁の室内側に取り付けた前記粘着剤付き接合部材と前記粘着剤なし接合部材によって挟み込んで固定され、前記柱もしくは前記胴縁とともに前記結束部材で結束され、前記柱もしくは前記胴縁が構成する隙間の輻よりも大きな幅を有してなるものである。
【考案の効果】
【００１２】  以上説明したように、本考案に係る隙間塞ぎ樹脂ネットによれば、風通しを良くするために設けられた防護フェンスや壁面の隙間から物が落下するということを簡単に防止でき、既設の防護フェンスや壁面を傷つけることもなく、原形復旧が容易にでき、様々な形状の隙間に対しても簡単に取り付けることができる。また軽量であるため、万一落下しても階下に大きな危害を加えることもなく、より安心・安全で快適な住環境形成を提供することが可能となる。【００１３】  本樹脂ネットは、強風を和らげる効果があり、面ファスナーや結束部材等で係着することにより防護フェンスや壁面から外れて飛ぶ危険性もなく、また、ベランダ内（あるいは室内）へは、通気性に優れ、ネット形状も美しく、採光もある。また、室内からは眺望が良く、外部からは適度な目隠し効果もある。
【図面の簡単な説明】
【００１４】
【図１】図１は本考案の室内側から見た正面図（実施例１）
【図２】図２は本考案の室外側から見た裏面図（実施例１）
【図３】図３は図１の要部拡大斜視図（実施例１）
【図４】図４は本考案の室内側から見た別例の正面図（実施例１）
【図５】図５は本考案の室内側から見た正面図（実施例２）
【図６】図６は図５のＡ−Ａにおける部分断面図（実施例２）
【考案を実施するための形態】
【００１５】  接合部材として面ファスナーを用い、また、結束部材として結束バンドを用い、防護フェンスや壁面の隙間を簡単に塞ぐことができる隙間塞ぎ樹脂ネットの取り付け構成を実現した。
【実施例１】
【００１６】  以下、実施例１の構成について、図１〜図４を用いて説明する。
実施例１では、防護フェンスを構成する一対の壁面１と、壁面１間に構成される隙間２と、隙間２の幅より大きな幅を持つ樹脂ネット３と、複数の面ファスナーＡタイプ４とを有する。【００１７】  面ファスナーＡタイプ４は、粘着剤付きループタイプ５と粘着付きループタイプ５に対向して設けられる粘着剤なしマッシュルームタイプ（フックタイプの一種）６とからなり、壁面１の隙間２近傍の室内側に粘着剤付きループタイプ５を貼り付け、樹脂ネット３を隙間２に配置した後、粘着剤なしマッシュルームタイプ６で樹脂ネット３の一部を挟み込むとともに、面ファスナーＡタイプ４を接合させることにより、樹脂ネット３を壁面１に固定する構成である。【００１８】  以下、実施例１の作用について説明する。
壁面１に挟まれた隙間２を、室内側より塞ぐ様に樹脂ネット３を装着する。樹脂ネット３の開孔７の寸法は、２８．５ｍｍ×３０ｍｍにより形成する。隙間２の幅より大きな幅を持つ樹脂ネット３を隙間２の幅より左右対象になる位置に仮配置した後、樹脂ネット３の開孔７の位置を確認し、開孔７を形成する樹脂ネット枠８に重ならないように隙間２近傍に幅２０ｍｍの粘着剤付きループタイプ５を取り付ける場所を複数箇所マーキングする。その際、粘着力を増やすため最上段に取り付ける粘着剤付きループタイプ５は最上段の樹脂ネット３の開孔７の樹脂ネット枠８をまたぐ様に取り付ける。それにより、樹脂ネット３をより頑強に固定でき、また、面ファスナーＡタイプ４の数を増やすことにより頑強な固定が得られる。【００１９】  取り付け手順は、マーキングした位置に粘着剤付きループタイプ５を貼り付ける。粘着剤付きループタイプ５の上から樹脂ネット３を開孔７の樹脂ネット枠８に重ならないように位置を確認しながら取り付ける。粘着剤付きループタイプ５に対向して設けられる幅２０ｍｍの粘着剤なしマッシュルームタイプ６で樹脂ネット３の一部を挟み込む様に取り付ける。その際、樹脂ネット３の開孔７の樹脂ネット枠８をまたぐため、粘着剤なしマッシュルームタイプ６は粘着剤付きループタイプ５より５ｍｍ長くし、樹脂ネット３に密着させて隙間を少なくするように貼り付け、結着力を高める。【００２０】  以下、実施例１の効果について説明する。
壁面１に挟まれた隙間２を、室内側より樹脂ネット３で塞ぐことにより、その隙間から物が落ちたり、落としたりしなくなり階下への危険がなくなる。また、万一、樹脂ネットが落下しても軽量であるため大きな危険に至らない。樹脂ネット３は、細い樹脂ネット枠８と開孔７とからなる構造であり、樹脂ネット枠８の切断が容易であり、現場にて様々な隙間形状に対応して切断することができる。【００２１】  面ファスナーＡタイプ４は粘着剤付きループタイプ５が下で上から粘着剤なしマッシュルームタイプ６で密着させる構成であり、粘着剤なしマッシュルームタイプ６は一般のフックタイプと比べ７倍の係合力があるため、十分な固定強度が得られる。逆の場合、上から押さえるループタイプでは拾いきれず、上記より係合力が弱くなる。また、粘着剤付きループタイプ５は特殊感圧性ゴム系粘着剤を塗布しており、アクリル系粘着剤より強力な接着力がある。また、面ファスナーＡタイプ４を縦に貼る構成で説明したが、図４に示すように横に大きくはみ出して貼ることで樹脂ネット枠８をまたがない面積が増え、面ファスナーＡタイプ４の接合力を大きくＵＰさせることができる。防護フェンスや壁面に孔を開けることもなく、傷をつけないため、粘着剤を剥がすことで原形復旧が容易に出来る。隙間の大きさ、幅に応じて樹脂ネット３をハサミで切断できるなど簡単に加工ができ、様々な隙間形状に対応できる。一人でも簡単に取り付けが可能であり、より安心・安全で快適な住環境と居住空間をベランダに形成できる。
【実施例２】
【００２２】  以下、実施例２の構成について、図５〜図６を用いて説明する。
実施例２では、防護フェンスを構成する、面材パネル１６は角型柱１７と角型下胴縁１８により取り囲まれており、角型下胴縁１８と足がかり１３と角型柱１７とで囲まれた隙間２を、室内側より大きな幅を持つ樹脂ネット３で覆い、複数の結束バンド１５と複数の面ファスナーＢタイプ２０とで固定している。【００２３】  面ファスナーＢタイプ２０は、粘着剤付きフックタイプ２１と粘着付きフックタイプ２１に対向して設けられる粘着剤なしナッピングタイプ（ループタイプの一種）２２とからなり、角型下胴縁１８の室内側に粘着剤付きフックタイプ２１を貼り付け、樹脂ネット３を隙間２に配置した後、粘着剤なしナッピングタイプ２２で樹脂ネット３の一部を挟み込むとともに、面ファスナーＢタイプ２０を接合させることにより、樹脂ネット３を角型下胴縁１８に固定する構成である。【００２４】  以下、実施例２の作用について説明する。
角型柱１７及び角型下胴縁１８と足がかり１３に挟まれた隙間２を、室内側より塞ぐ様に樹脂ネット３を装着する。樹脂ネット３の開孔７の寸法は、２８．５ｍｍ×３０ｍｍにより形成する。隙間２の幅より大きな幅に切断した樹脂ネット３を角型柱１７及び角型下胴縁１８及び隙間２を塞ぐ様に配置した後、樹脂ネット３の開孔７の位置を確認し、開孔７を形成する樹脂ネット枠８に重ならないように角型下胴縁１８に幅２０ｍｍの粘着剤付きフックタイプ２１を取り付ける場所を複数箇所マーキングする。樹脂ネット３を装着し、幅２０ｍｍの複数の粘着剤付きフックタイプ２１と、粘着剤付きフックタイプ２１に対向して設けられる複数の粘着剤なしナッピングタイプ２２及び複数の結束バンド１５で、角型下胴縁１８及び角型柱１７に取り付ける。【００２５】  取り付け手順は、マーキングした位置に粘着剤付きフックタイプ２１を貼り付ける。粘着剤付きフックタイプ２１の上から樹脂ネット３を開孔７の樹脂ネット枠８に重ならないように位置を確認しながら取り付ける。粘着剤付きフックタイプ２１に対向して設けられる幅２０ｍｍの粘着剤なしナッピングタイプ２２で樹脂ネット３の一部を挟み込む様に取り付ける。その際、樹脂ネット３の開孔７の樹脂ネット枠８をまたぐため、粘着剤なしナッピングタイプ２２は粘着剤付きフックタイプ２１より５ｍｍ長くし、樹脂ネット３に密着させて隙間を少なくするように貼り付け、結着力を高める。【００２６】  樹脂ネット３を片方の角型柱１７にあてがい、複数の結束バンド１５で固定し、他方角型柱１７には樹脂ネット３を被せる様に複数の結束バンド１５で仮固定する。樹脂ネット３の緩みは粘着剤なしナッピングタイプ２２を貼りなおして修正する。樹脂ネット３の修正後、結束バンド１５の仮固定を本固定に改める。フックタイプを粘着剤付きとして下に貼り、上からナッピングタイプ２２を貼り付けているので、その逆パターンに対して極めて弱い接合強度となる。そのため貼り直しが容易にできる。【００２７】  以下、実施例２の効果について説明する。
角型柱１７と角型下胴縁１８と足がかり１３に挟まれた隙間２を、室内側より樹脂ネット３で塞ぐことにより、隙間２から物が落ちたり、落としたりしなくなり階下への危険がなくなる。また、万一、樹脂ネットが落下しても軽量であるため大きな危険に至らない。【００２８】  樹脂ネット３を複数の結束バンド１５及び複数の面ファスナーＢタイプ２０で固定するが、結束バンド１５及び面ファスナーＢタイプ２０の数を増やすことにより頑強な固定が得られる。防護フェンスに孔を開けることもなく、傷をつけないため結束部材１５を切断して、粘着剤を剥がすことで原形復旧が容易に出来る。隙間の大きさ、幅に応じて樹脂ネット３をハサミで切断できるなど簡単に加工ができ、様々な隙間形状に対応できる。一人でも簡単に取り付けが可能であり、より安心・安全で快適な住環境と居住空間をベランダに形成できる。【００２９】  実施例１では、壁面１の隙間２に面ファスナーＡタイプ４の組み合わせ方法を使うことにより、孔を開けることもなく樹脂ネット３で隙間２を塞ぐことが可能となる。その際、粘着力を増やすため最上段に取り付ける面ファスナーＡタイプ４は樹脂ネット枠８をまたぐ様に取り付ける。それにより、樹脂ネット３をより頑強に固定できる。【００３０】  本考案はベランダ防護フェンスの隙間塞ぎネットで、恒久的な措置を講ずることにより、より安心・安全で快適な住環境と居住空間をベランダに形成できる。【００３１】  また、本考案はマンションや公共住宅などの多層階建築物を例にとり説明したが、一戸建て住宅にも勿論適用することが可能である。【００３２】  ベランダは、通常共用部分として区分されているため、個人として防護フェンスや壁面に孔を開けるとか、傷をつけることは違反となる。そのため原形復旧が容易に出来ることが大事である。また、実施例１、実施例２は直線型の例で説明したが、緩やかな曲線の場合も同様の取付が可能である。【００３３】  実施例で、接合部材として面ファスナーを用いた例を示したが、接合ボタン付きバンドでも可能である。但し、面ファスナーはボタン接合より使い勝手がよい。
また、結束部材として結束バンドを用いた例を示したが、ヒモを使用して結束しても同様の効果がある。但し、結束バンドはヒモより結束し易い利点がある。
【符号の説明】
【００３４】１  壁面
２  隙間
３  樹脂ネット
４  面ファスナーＡタイプ
５  粘着剤付きループタイプ
６  粘着剤なしマッシュルームタイプ
７  開孔
８  樹脂ネット枠
１３  足がかり
１５  結束バンド
１６  面材パネル
１７  角型柱
１８  角型下胴縁
２０  面ファスナーＢタイプ
２１  粘着剤付きフックタイプ
２２  粘着剤なしナッピングタイプ
【図１】
0003203171.tif 000003
【図２】
0003203171.tif 000004
【図３】
0003203171.tif 000005
【図４】
0003203171.tif 000006
【図５】
0003203171.tif 000007
【図６】
0003203171.tif 000008